(57)【要約】【課題】コンパクトで簡単に部屋の出入口に容易に取り付けられ、ペットが押すだけでドアが確実に開き、隙間風の吹込みや冷暖房効率の低下を防止できるペット用のドア開閉装置を提供する。【解決手段】開き戸のドアＤを備えた出入口の両側上部間に突っ張るように架設する装置本体１と、ドアＤの回動軸から離れた位置の上部に跨らせるように載せるワイヤー引掛具２と、これらを繋ぐ戸閉ワイヤー３とから構成する。装置本体１には、入力ユニット１１と出力ユニット１２をドアＤの戸先側から戸尻側に対応する部分にかけて配置し、戸閉ばね１３と引込量拡大機構１４を設ける。入力ユニット１１と出力ユニット１２を戸開ばね１１ｇ及び戸開ワイヤー１５により連結し、戸開ばね１１ｇの引張力は、戸閉ワイヤー３の引込力と初期状態への復帰用の戻しばね１２ｅの付勢力の和よりも大きく設定する。【選択図】図３
2020026626.tif 000002
【特許請求の範囲】
【請求項１】
開き戸のドアを備えた出入口の両側上部間に突っ張るように架設する装置本体(1)と、ドアの回動軸から離れた位置の上部に跨らせるように載せるワイヤー引掛具(2)と、前記装置本体(1)とワイヤー引掛具(2)を繋ぐ戸閉ワイヤー(3)とから成り、
前記装置本体(1)には、ドアの戸先側と戸尻側の中間部に対応する部分に位置する入力ユニット(11)と、前記入力ユニット(11)よりもドアの戸尻寄りに対応する部分に位置する出力ユニット(12)と、前記戸閉ワイヤー(3)に引張力を付与する戸閉ばね(13)と、前記戸閉ばね(13)の引張力による前記戸閉ワイヤー(3)の引き込み量を増大させる引込量拡大機構(14)とが設けられており、
前記入力ユニット(11)は、ドアの開放方向の反対面に対して進退するロッド(11c)と、前記ロッド(11c)に連結されて回動するカムプレート(11d)と、前記カムプレート(11d)に係脱するカムロックプレート(11e)と、移動に伴い前記カムロックプレート(11e)を揺動させてカムプレート(11d)から離脱させるロック解除具(11f)と、前記カムプレート(11d)とロック解除具(11f)とを引張方向に付勢して連結する戸開ばね(11g)を備え、
前記出力ユニット(12)は、ドアの開放方向の反対面に対して出没するロッド(12c)と、前記ロッド(12c)に連結されて回動するカムプレート(12d)と、前記カムプレート(12d)を初期位置に戻す方向へ付勢する戻しばね(12e)を備え、
前記入力ユニット(11)のカムプレート(11d)と前記出力ユニット(12)のカムプレート(12d)は、それぞれのロッド(11c,12c)との連結部が対向するように対称に配置され、
前記入力ユニット(11)のロック解除具(11f)と前記出力ユニット(12)のカムプレート(12d)とが戸開ワイヤー(15)を介して連結されることにより、前記入力ユニット(11)のカムプレート(11d)と前記出力ユニット(12)のカムプレート(12d)とは、それぞれのロッド(11c,12c)との連結部に対し互いに離れた位置で、直列となった前記戸開ばね(11g)及び戸開ワイヤー(15)により連結され、
前記戸開ばね(11g)の引張力は、前記戸閉ワイヤー(3)の引込力と前記戻しばね(12e)の付勢力の和よりも大きく設定されているペット用のドア開閉装置。
【請求項２】
前記入力ユニット(11)と前記出力ユニット(12)のカムプレート(11d,12d)は、どちらも扇状部材とされて、中心角寄りに回動軸(11a1,12a1)が位置し、
前記入力ユニット(11)と前記出力ユニット(12)のそれぞれのカムプレート(11d,12d)の外周寄りの一側部にロッド(11c,12c)が連結され、
前記入力ユニット(11)と前記出力ユニット(12)のそれぞれのカムプレート(11d,12d)の外周寄りの他側部が前記戸開ばね(11g)及び戸開ワイヤー(15)を介して連結されていることを特徴とする請求項１に記載のペット用のドア開閉装置。
【請求項３】
前記引込量拡大機構(14)は、一列に並ぶ複数個のプーリー(14a,14b)のそれぞれの大径部(14a1,14b1)と小径部(14a2,14b2)に前記戸閉ワイヤー(3)を段階的に巻き掛けた構成となっていることを特徴とする請求項１又は２に記載のペット用のドア開閉装置。
【発明の詳細な説明】
【技術分野】
【０００１】
この発明は、犬や猫などのペットが部屋の出入りを自由にできるようにするためのドア開閉装置に関するものである。
【背景技術】
【０００２】
例えば、開き戸のドアを完全に開放することなく、家屋内で飼われている犬や猫などのペットが部屋の出入りを自由にできるようにするため、下記特許文献１では、図１３に示すようなペット用ドアパネルが提案されている。
【０００３】
このペット用ドアパネルは、ドアＤの戸先側に対応して設置されるものであり、ドアＤとほぼ同等の高さを有する縦長の遮蔽パネル５１と、その一側部を回動可能に支持する伸縮可能な支柱５２とから構成され、遮蔽パネル５１の下端部には、吊下式の蓋板５３ａを有するペット出入口５３が備えられている。
【０００４】
上記ペット用ドアパネルの設置に際しては、ドア枠の両側の立枠Ｖ１，Ｖ２のうち、ドアＤの戸先寄りに対応する一側の立枠Ｖ１に近接して、支柱５２を床面と天井の間に突っ張るように直立させて固定する。
【０００５】
そして、ドアＤを出入口の一側の立枠Ｖ１から離れるように少し開き、遮蔽パネル５１の他側部をドアＤの戸先寄りの表面に当接させて、ドアＤの戸先と立枠Ｖ１の間を遮蔽する。これにより、部屋の内側と外側は、ドアＤの戸先側での通風が遮断され、互いに容易に視認できないように仕切られる。
【０００６】
このように遮蔽しても、ペットは、吊下式の蓋板５３ａを押して揺動させつつ、ペット出入口５３を介して部屋の出入りを自由にできる。
【０００７】
また、遮蔽パネル５１を鎖線で示すように回動させ、出入口の側方の壁面に沿わせておくと、遮蔽パネル５１に妨げられることなく、ドアＤを完全に閉じることができ、遮蔽パネル５１が出入口付近に迫り出して煩わしく感じられることもない。
【先行技術文献】
【特許文献】
【０００８】
【特許文献１】特開２００２−１１５４６１号公報
【発明の概要】
【発明が解決しようとする課題】
【０００９】
しかしながら、上記のようなペット用ドアパネルは、大きな遮蔽パネル５１を良質の材料で仕上げた場合、高価なものとなるため、購入者層が限られるという問題があるほか、遮蔽状態でもドアＤの戸先側が立枠Ｖ１から離れているため、出入口の上部とドアＤとの間に隙間が生じ、室内に隙間風が吹き込んだり、室内の冷暖房効率が低下したりするという問題を完全には解消できない。
【００１０】
このような不都合を解消するため、ロッドが押し込まれると圧縮コイルばねの反発力で大きく突出するプッシュステーを用いることにより、ペットがドアの開放方向の表面を少し押したとき、ドアがプッシュステーのばね力によりある程度開放され、その後、プッシュステーとは逆方向の付勢力を有するばねの作用でドアが自動的に閉じるようにしたペット用のドア開閉装置が考えられている。
【００１１】
ところが、このようなプッシュステーをドアの開放に使用する構成では、冷暖房に伴い部屋の窓等の開口部が閉じられている場合、プッシュステーの反発力だけでドアを室内の気圧変動に抗して開けることが難しいという問題がある。
【００１２】
そこで、この発明は、コンパクトで簡単に部屋の出入口に容易に取り付けられ、ペットが押すだけでドアが確実に開き、隙間風の吹込みや冷暖房効率の低下を防止できるペット用のドア開閉装置を提供することを課題とする。
【課題を解決するための手段】
【００１３】
上記課題を解決するため、この発明に係るペット用のドア開閉装置は、開き戸のドアを備えた出入口の両側上部間に突っ張るように架設する装置本体と、ドアの回動軸から離れた位置の上部に跨らせるように載せるワイヤー引掛具と、前記装置本体とワイヤー引掛具を繋ぐ戸閉ワイヤーとから成り、
前記装置本体には、ドアの戸先側と戸尻側の中間部に対応する部分に位置する入力ユニットと、前記入力ユニットよりもドアの戸尻寄りに対応する部分に位置する出力ユニットと、前記戸閉ワイヤーに引張力を付与する戸閉ばねと、前記戸閉ばねの引張力による前記戸閉ワイヤーの引き込み量を増大させる引込量拡大機構とが設けられており、
前記入力ユニットは、ドアの開放方向の反対面に対して進退するロッドと、前記ロッドに連結されて回動するカムプレートと、前記カムプレートに係脱するカムロックプレートと、移動に伴い前記カムロックプレートを揺動させてカムプレートから離脱させるロック解除具と、前記カムプレートとロック解除具とを引張方向に付勢して連結する戸開ばねを備え、
前記出力ユニットは、ドアの開放方向の反対面に対して出没するロッドと、前記ロッドに連結されて回動するカムプレートと、前記カムプレートを初期位置に戻す方向へ付勢する戻しばねを備え、
前記入力ユニットのカムプレートと前記出力ユニットのカムプレートは、それぞれのロッドとの連結部が対向するように対称に配置され、
前記入力ユニットのロック解除具と前記出力ユニットのカムプレートとが戸開ワイヤーを介して連結されることにより、前記入力ユニットのカムプレートと前記出力ユニットのカムプレートとは、それぞれのロッドとの連結部に対し互いに離れた位置で、直列となった前記戸開ばね及び戸開ワイヤーにより連結され、
前記戸開ばねの引張力は、前記戸閉ワイヤーの引込力と前記戻しばねの付勢力の和よりも大きく設定されているものとしたのである。
【００１４】
また、前記入力ユニットと前記出力ユニットのカムプレートは、どちらも扇状部材とされて、中心角寄りに回動軸が位置し、
前記入力ユニットと前記出力ユニットのそれぞれのカムプレートの外周寄りの一側部にロッドが連結され、
前記入力ユニットと前記出力ユニットのそれぞれのカムプレートの外周寄りの他側部が前記戸開ばね及び戸開ワイヤーを介して連結されているものとしたのである。
【００１５】
さらに、前記引込量拡大機構は、一列に並ぶ複数個のプーリーのそれぞれの大径部と小径部に前記戸閉ワイヤーを段階的に巻き掛けた構成となっているものとしたのである。
【発明の効果】
【００１６】
この発明に係るペット用のドア開閉装置は、装置本体を出入口の両側上部間に架設し、ワイヤー引掛具をドアの上部に跨らせるように載せ、装置本体とワイヤー引掛具を戸閉ワイヤーで繋ぐだけで、簡単に取付作業が完了し、出入口に取り付けた状態で、装置本体が目立つこともない。
【００１７】
また、ペットがドアの開放方向の表面を少し押すだけで、入力ユニットと出力ユニットのロッドが押されて後退し、引っ張られた戸開ばねの縮みに伴い、出力ユニットのロッドが前進してドアを突き放すように開き、ペットが自由に出入りすることができる。
【００１８】
また、開き戸に取り付けた状態でドアを閉めたとき、ドアの戸先を出入口の立枠の奥行の範囲内に収めることができるので、部屋の気密性を確保でき、隙間風の吹込みや冷暖房効率の低下を防止できる。
【図面の簡単な説明】
【００１９】
【図１】この発明に係るペット用のドア開閉装置を取り付けた開き戸のドアを閉めた状態をドア開放方向の上方から示す斜視図
【図２】同上のペットがドアを押した状態を示す斜視図
【図３】同上のドアが半開きとなってペットが通り抜ける状態を示す斜視図
【図４】同上のドアが閉まる過程を示す斜視図
【図５】同上のドアが大きく開いて人が出入りする状態を示す斜視図
【図６】同上の装置本体を開き戸に取り付けてドアを閉じた状態で示す平面図（同図におけるＡ−Ａ断面図及びＢ−Ｂ断面図を含む）
【図７】同上の入力ユニットを示す拡大平面図
【図８】同上の出力ユニットを示す拡大平面図
【図９】同上の引込量拡大機構におけるワイヤーの巻掛状態を示す（９Ａ）拡大平面図、（９Ｂ）拡大正面図
【図１０】同上のワイヤー引掛具のドアへの取付状態を示す（１０Ａ）平面図、（１０Ｂ）側面図
【図１１】同上のペット用のドア開閉装置を取り付けた開き戸のドアの開閉動作の各状態を示す平面図
【図１２】同上のペット用のドア開閉装置の入力ユニットと出力ユニットの動作の各状態を示す概略平面図
【図１３】特許文献１に記載のペット用ドアパネルの設置状態を示す斜視図
【発明を実施するための形態】
【００２０】
以下、この発明の実施形態を添付図面に基づいて説明する。
【００２１】
図１に示すように、このドア開閉装置は、開き戸のドアＤを備えた出入口の上部に取り付けるものであり、長さ方向を出入口の幅方向へ向けて、両側の立枠Ｖ１，Ｖ２の上部間に突っ張るように架設する装置本体１と、ドアＤの回動軸から離れた位置の上部に跨らせるように載せるワイヤー引掛具２と、装置本体１とワイヤー引掛具２に引っ掛けてこれらを繋ぐ戸閉ワイヤー３とから構成される。
【００２２】
図６に示すように、装置本体１は、四角筒状の梁体１０に各機構の主要部を内蔵しており、ドアＤの戸先側と戸尻側の中間部に対応する部分に位置する入力ユニット１１と、入力ユニット１１よりもドアＤの戸尻寄りに対応する部分に位置する出力ユニット１２と、戸閉ワイヤー３に引張力を付与するコイルばねの戸閉ばね１３と、戸閉ばね１３による戸閉ワイヤー３の引き込み量を増大させる引込量拡大機構１４とを備えている。
【００２３】
梁体１０は、外カバー１０ａと筐体１０ｂ１、１０ｂ２とから成る二重構造とされ、一方の筐体１０ｂ１は短く、他方の筐体１０ｂ２は長くなっており、外カバー１０ａは、筐体１０ｂ１、１０ｂ２に対して長さ方向にスライドするようになっている。
【００２４】
短い筐体１０ｂ１から延びて長い筐体１０ｂ２に挿入される寸切りボルト４には、筐体１０ｂ１、１０ｂ２の間に、取付時の押圧力調整用のハンドル５が螺合している。ハンドル５と筐体１０ｂ２の間には、ばね定数が大きい圧縮ばね６が介在し、筐体１０ｂ１に対して筐体１０ｂ２が離反する方向へ付勢されている。
【００２５】
筐体１０ｂ１、１０ｂ２のそれぞれの外端壁には、先端が円盤部となった押当片７が設けられている。押当片７の円盤部の表面には、滑止用のゴムが貼られている。
【００２６】
筐体１０ｂ２の内部には、戸閉ばね１３が設けられ、戸閉ばね１３の一端が筐体１０ｂ２の筐体１０ｂ１側の端壁に接続され、他端が引込量拡大機構１４の戸閉ワイヤー３に接続されている。
【００２７】
図７に示すように、入力ユニット１１は、筐体１０ｂ２に固定される保持部材１１ａとこれに固定される保持部材１１ｂにより機構部が保持されている。
【００２８】
この機構部は、軸部の先端に丸味を帯びた樹脂部材が取り付けられたロッド１１ｃと、ロッド１１ｃに連結されて回動する扇状のカムプレート１１ｄと、揺動に伴いカムプレート１１ｄに係脱するカムロックプレート１１ｅと、ロッド１１ｃの軸線方向と交差する方向へ移動するロック解除具１１ｆと、カムプレート１１ｄとロック解除具１１ｆとを引張方向に付勢して連結するコイルばねの戸開ばね１１ｇを備えている。
【００２９】
ロッド１１ｃは、保持部材１１ｂに対してスライダー１１ｃ１を介し進退自在に保持され、カムプレート１１ｄは、中心角寄りを回動軸１１ａ１により保持部材１１ａに軸支されている。そして、スライダー１１ｃ１に回動自在に係合する係合軸１１ｄ１を介して、カムプレート１１ｄの外周寄りの一側部にロッド１１ｃが連結されている。
【００３０】
戸開ばね１１ｇの一端は、カムプレート１１ｄの外周寄りの他側部の掛止軸１１ｄ２に引っ掛けられ、戸開ばね１１ｇの他端は、ロック解除具１１ｆの掛止軸１１ｆ１に引っ掛けられている。この掛止軸１１ｆ１には、後述する戸開ワイヤー１５の一端が引っ掛けられ、戸開ばね１１ｇと戸開ワイヤー１５とが直列となっている。
【００３１】
カムロックプレート１１ｅは、回動軸１１ｅ１により軸支され、先端部がカムプレート１１ｄの外周に圧接するように付勢されて、カムプレート１１ｄの外周の凹所１１ｄ３に係合する形状とされている。
【００３２】
そして、カムロックプレート１１ｅの後部の凸軸１１ｅ２がロック解除具１１ｆの傾斜したカム面１１ｆ２に押されて保持部材１１ａのガイド穴１１ａ２内を移動すると、カムロックプレート１１ｅは揺動し、カムプレート１１ｄの外周の凹所１１ｄ３に係合していたカムロックプレート１１ｅの先端部が凹所１１ｄ３から離脱する。
【００３３】
図８に示すように、出力ユニット１２は、筐体１０ｂ２に固定される保持部材１２ａとこれに固定される保持部材１２ｂにより機構部が保持されている。
【００３４】
この機構部は、軸部の先端に丸味を帯びた樹脂部材が取り付けられたロッド１２ｃと、ロッド１２ｃに連結されて回動する扇状のカムプレート１２ｄと、カムプレート１２ｄを初期位置へ戻る方向へ付勢するトーションばねの戻しばね１２ｅを備えている。
【００３５】
ロッド１２ｃは、保持部材１２ｂに対してスライダー１２ｃ１を介し進退自在に保持され、カムプレート１２ｄは、中心角寄りを回動軸１２ａ１により保持部材１２ａに軸支されている。そして、スライダー１２ｃ１に回動自在に係合する係合軸１２ｄ１を介して、カムプレート１２ｄの外周寄りの一側部にロッド１２ｃが連結されている。
【００３６】
戻しばね１２ｅの一端は、保持部材１２ｂに係止され、戻しばね１２ｅの他端は、カムプレート１２ｄの外周寄りの他側部の掛止軸１２ｄ２に係止されている。掛止軸１２ｄ２は、保持部材１２ａに形成されたガイド穴１２ａ２内を移動する。また、掛止軸１２ｄ２には、入力ユニット１１から延びる戸開ワイヤー１５の他端が引っ掛けられている。
【００３７】
ここで、図８及び図９に示すように、入力ユニット１１の保持部材１１ａ，１１ｂ、ロッド１１ｃ、スライダー１１ｃ１及びカムプレート１１ｄと、出力ユニット１２の保持部材１２ａ，１２ｂ、ロッド１２ｃ、スライダー１２ｃ１及びカムプレート１２ｄとは、部材管理の効率化のため、同一の部材とされている。
【００３８】
そして、入力ユニット１１のカムプレート１１ｄと出力ユニット１２のカムプレート１２ｄは、それぞれのロッド１１ｃ、１２ｃとの連結部が対向するように対称に配置され、また、それぞれのロッド１１ｃ、１２ｃとの連結部に対し互いに離れた位置で、直列となった戸開ばね１１ｇ及び戸開ワイヤー１５により連結された関係となっている。
【００３９】
図９に示すように、引込量拡大機構１４は、筐体１０ｂ２の内部で装置本体１の長さ方向に並ぶ２個のプーリー１４ａ，１４ｂを備え、これらのプーリー１４ａ，１４ｂは、それぞれに設けられた大径部１４ａ１，１４ｂ１と小径部１４ａ２，１４ｂ２とが上下互い違いになるように配置されている。
【００４０】
そして、一端が戸閉ばね１３に接続された戸閉ワイヤー３の他端側は、戸閉ばね１３に近いプーリー１４ａの小径部１４ａ２に巻き掛けられている。
【００４１】
また、次の段階として、戸閉ばね１３に近いプーリー１４ａの大径部１４ａ１に戸閉ワイヤー３の一端側が巻き掛けられ、この戸閉ワイヤー３の他端側は、戸閉ばね１３から遠いプーリー１４ｂの小径部１４ｂ２に巻き掛けられている。
【００４２】
さらに、次の段階として、戸閉ばね１３から遠いプーリー１４ｂの大径部１４ｂ１に戸閉ワイヤー３の一端側が巻き掛けられ、この戸閉ワイヤー３の他端側は、ドアＤの方向へ向きを変えられて、梁体１０の外部に引き出され、先端部にワイヤー引掛具２に繋ぐための環状部３ａが形成されている。
【００４３】
この装置本体１において、戸開ばね１１ｇの引張力は、約２５〜４６Ｎとされ、戸閉ばね１３の引張力は、約３５〜８０Ｎとされている。引込量拡大機構１４を経た戸閉ワイヤー３の引込力は、約１．９６〜４．９Ｎとされ、戻しばね１２ｅの付勢力は、約６．２Ｎとされている。このように、戸開ばね１１ｇの引張力は、戸閉ワイヤー３の引込力と戻しばね１２ｅの付勢力の和よりも大きく設定されている。
【００４４】
一方、図１０に示すように、ワイヤー引掛具２は、ドアＤの上部に跨る抱持部材２１の背面にフック２２が設けられ、抱持部材２１の正面に設けられた締付ねじ２３の締め付けに伴い押付板２４が前進し、抱持部材２１と押付板２４の間に保護シート２５を介してドアＤを挟み込むことにより、ドアＤに固定されるものである。
【００４５】
上記のようなドア開閉装置を出入口の開き戸に取り付けるには、図１に示すように、開き戸のドアＤの開放方向とは反対側において、長さ方向に押し縮めた装置本体１を反発により伸長させ、両端の押当片７を出入口の立枠Ｖ１，Ｖ２の上部にそれぞれ押し当てることにより、立枠Ｖ１，Ｖ２の上部間に突っ張るように架設する。
【００４６】
また、ワイヤー引掛具２を、ドアＤの戸尻側の回動軸から離れた位置の上部に跨らせるように載せ、図１０に示すように、締付ねじ２３を回して、ドアＤを挟み込んだ状態で締め付けることにより、ドアＤに固定する。
【００４７】
そして、図６に示すように、装置本体１から引き出した戸閉ワイヤー３の先端の環状部３ａを、ワイヤー引掛具２のフック２２に引っ掛けることにより、装置本体１とワイヤー引掛具２とを繋ぐ。
【００４８】
なお、ドアＤを戸先のラッチボルトが立枠Ｖ１の受金具の凹部に誤って嵌合しないように、受金具にその凹部を覆うマグネットプレートＭを吸着させておくとよい。
【００４９】
上記のようなドア開閉装置は、ドアＤの戸先側に遮蔽パネルを設ける従来のペット用ドアパネルのように、美装仕上げを要する大きなパネルを構成部材としないので、比較的安価に提供することができる。
【００５０】
また、開き戸への取付作業を簡単に行うことができ、ドアＤや立枠Ｖ１，Ｖ２に穴開け加工等を施す必要がなく、建具や壁面を傷つけることがないので、賃貸住宅にも取り付けることができる。
【００５１】
また、引込量拡大機構１４の２個のプーリー１４ａ，１４ｂが装置本体１の長さ方向に一列に並び、それらの大径部１４ａ１，１４ｂ１と小径部１４ａ２，１４ｂ２に戸閉ワイヤー３が段階的に巻き掛けられていることから、装置本体１が細長いものとなり、開き戸への取付状態において、立枠Ｖ１，Ｖ２の幅の範囲内に体裁よく収めることができる。
【００５２】
さらに、装置本体１が万一落下した場合には、ドアＤの上部から戸閉ワイヤー３を介してぶら下がるので、出入口を通る人ＨやペットＰに当たる危険性はほとんどなく、床面を傷つける恐れもない。
【００５３】
上記のようなドア開閉装置を取り付けた開き戸において、図６に示すように、ドアＤを閉めると、図１１［Ｉ］及び図１２［Ｉ］に示すように、入力ユニット１１のロッド１１ｃ及び出力ユニットのロッド１２ｃの先端がドアＤの開放方向とは反対側の表面に当接して、ドア開閉装置は初期状態となる。
【００５４】
この状態では、ドアＤを戸先のラッチボルトが立枠Ｖ１の受金具に嵌合するまで完全に閉じることはできないが、ドアＤの戸先を立枠Ｖ１の奥行の範囲内に収めることができるので、部屋の気密性を確保でき、隙間風の吹込みや冷暖房効率の低下を防止できる。
【００５５】
そして、図１に示すように、部屋の内部側であるドアＤの開放方向にいるペットＰが部屋の外へ出ようとして、図２に示すように、ドアＤの開放方向の表面を押すと、図１１［II］及び図１２［II］に示すように、入力ユニット１１及び出力ユニット１２のロッド１１ｃ，１２ｃがドアＤで押されて後退する。
【００５６】
このとき、入力ユニット１１のロッド１１ｃは、出力ユニット１２のロッド１２ｃよりも大きく後退し（一般に約１２ｍｍ）、入力ユニット１１のカムプレート１１ｄが図示の方向で時計回りに大きく回転すると共に、出力ユニット１２のカムプレート１２ｄが図示の方向で反時計回りに少し回動する。
【００５７】
これに伴い、戸開ばね１１ｇが入力ユニット１１と出力ユニット１２のカムプレート１１ｄ，１２ｄで引っ張られて伸びるように撓み（一般に約１２ｍｍ）、ロック解除具１１ｆが図示の方向で右側へ移動することにより、入力ユニット１１のカムプレート１１ｄの凹所１１ｄ３にカムロックプレート１１ｅの先端部が係合して、ロッド１１ｃが後退位置に保持される。
【００５８】
この状態から、図１１［III］及び図１２［III］に示すように、戸開ばね１１ｇが復元力により縮み、これに伴い、戸開ばね１１ｇ及び戸開ワイヤー１５に引っ張られて、出力ユニット１２のカムプレート１２ｄが図示の方向で時計回りに回動し、ロッド１２ｃが前進してドアＤを開く方向へ突き放すように押す。また、ロック解除具１１ｆが図示の方向で左側へ移動して、カムロックプレート１１ｅを揺動させ、カムプレート１１ｄの凹所１１ｄ３からカムロックプレート１１ｅの先端部が離脱する。このとき、出力ユニット１２の戻しばね１２ｅは、付勢力に抗して変形する。
【００５９】
そして、ドアＤは、図１１［IV］に示すように、慣性によりさらに開いて半開き状態となり、図３に示すように、この状態に気付いたペットＰは、ドアＤの戸先と立枠Ｖ１の間をドアＤの開放方向とは反対側へ通り抜けることができる。このとき、戸閉ばね１３は、戸閉ワイヤー３に引張られて伸びるように撓む。
【００６０】
また、図１２［IV］に示すように、出力ユニット１２のカムプレート１２ｄが戻しばね１２ｅの付勢力により図示の方向で反時計回りに回動し、ロッド１２ｃが後退して初期位置に復帰すると共に、戸開ワイヤー１５に引っ張られて、入力ユニット１１のロック解除具１１ｆが初期位置に復帰し、カムプレート１１ｄが図示の方向で反時計回りに回動し、ロッド１１ｃが前進して初期位置に復帰する。
【００６１】
その後、半開き状態となったドアＤは、図４に示すように、戸閉ばね１３の復元力による縮みに伴い、戸閉ワイヤー３で引っ張られて閉まり始め、閉じられた状態に戻り、部屋の気密性が保たれる。
【００６２】
上記作用例では、ペットＰがドアＤの開放方向から反対側へ通り抜ける場合について例示したが、これとは逆に、ドアＤの開放方向とは反対側にいるペットＰは、ドアＤの開放方向とは反対側の表面を押すだけで、ドアＤが開くので、ドアＤの戸先と立枠Ｖ１の間を容易に通り抜けることができる。
【００６３】
一方、図５に示すように、開き戸の出入口を飼い主等の人Ｈが出入りする際には、戸閉ワイヤー３が最大限度近くまで大きく引き出されることにより、ドアＤを大きく開くことができるので、障害物に煩わされることなく通ることができ、その後、ドアＤは、戸閉ワイヤー３に引っ張られて、自動的に閉じられた状態に戻る。
【符号の説明】
【００６４】
１  装置本体
２  ワイヤー引掛具
３  戸閉ワイヤー
３ａ  環状部
４  寸切りボルト
５  ハンドル
６  圧縮ばね
７  押当片
１０  梁体
１０ａ  外カバー
１０ｂ１、１０ｂ２  筐体
１１  入力ユニット
１１ａ，１１ｂ  保持部材
１１ａ１  回動軸
１１ａ２  ガイド穴
１１ｃ  ロッド
１１ｃ１  スライダー
１１ｄ  カムプレート
１１ｄ１  係合軸
１１ｄ２  掛止軸
１１ｄ３  凹所
１１ｅ  カムロックプレート
１１ｅ１  回動軸
１１ｅ２  凸軸
１１ｆ  ロック解除具
１１ｆ１  掛止軸
１１ｆ２  カム面
１１ｇ  戸開ばね
１２  出力ユニット
１２ａ，１２ｂ  保持部材
１２ａ１  回動軸
１２ａ２  ガイド穴
１２ｃ  ロッド
１２ｃ１  スライダー
１２ｄ  カムプレート
１２ｄ１  係合軸
１２ｄ２  掛止軸
１２ｅ  戻しばね
１３  戸閉ばね
１４  引込量拡大機構
１４ａ，１４ｂ  プーリー
１４ａ１，１４ｂ１  大径部
１４ａ２，１４ｂ２  小径部
１５  戸開ワイヤー
２１  抱持部材
２２  フック
２３  締付ねじ
２４  押付板
２５  保護シート
Ｄ  ドア
Ｈ  人
Ｍ  マグネットプレート
Ｐ  ペット
Ｖ１，Ｖ２  立枠
【図１】
2020026626.tif 000003
【図２】
2020026626.tif 000004
【図３】
2020026626.tif 000005
【図４】
2020026626.tif 000006
【図５】
2020026626.tif 000007
【図６】
2020026626.tif 000008
【図７】
2020026626.tif 000009
【図８】
2020026626.tif 000010
【図９】
2020026626.tif 000011
【図１０】
2020026626.tif 000012
【図１１】
2020026626.tif 000013
【図１２】
2020026626.tif 000014
【図１３】
2020026626.tif 000015